(57)【特許請求の範囲】
【請求項１】
便器本体、及び、該本体の上部に載置される回動起倒式の便座を有する洋式便器であって、
前記便器本体のボウル部の上部開口縁部には、ボウル部を洗浄するための通水路及び吐水孔が設けられておらず、
前記便器本体のボウル部の底部には、ゼット吐水孔、並びに、排水口及びそれに連通する排水路が形成されており、
前記便座の回動中心の近辺に前記便器本体のボウル部を洗浄するスプレッダーが設けられており、
該スプレッダーには、給水源からの洗浄水を前記ボウル部の上部開口の内周曲面に沿うように水平に吐出するための水平吐出孔、及び、洗浄水を前記ボウル部の下部の内周曲面に沿うように下方に吐出するための下方吐出孔が設けられており、
さらに、前記給水源と前記ゼット吐水孔とを連通する給水管が設けられており、
ボウル洗浄レバーあるいはボタンを操作すると、
前記スプレッダーの水平吐出孔から吐出される洗浄水は、前記ボウル部の上部開口の内周両側から旋回して流れ、
前記下方吐出孔から吐出される洗浄水は、前記ボウル部の下部の内周曲面に沿って落下しながら流れ、
前記ゼット吐水孔に供給された洗浄水は、前記ボウル部の底部から排水路に向けて直線状に流れ、
前記水平吐出孔及び前記下方吐出孔から吐出された洗浄水は、汚物等と一緒にゼット吐水孔から吐出された洗浄水により排水路を通って排水口から排出されることを特徴とするボウル洗浄機能付便座を有する便器。
【請求項２】
さらに、前記便器本体の奥部に載置され、前記便座本体を回動可能に保持する保持部を有する便座基部を有し、
該便座基部に前記ボウル洗浄スプレッダーが設けられていることを特徴とする請求項１に記載のボウル洗浄機能付便座を有する便器。
【発明の詳細な説明】
【０００１】
【発明の属する技術分野】
本発明は、サイホンゼット式の洋式水洗便器に関し、特には、ボウル部を洗浄する機能を備えた便座を有する便器に関する。
【０００２】
【従来の技術】
図９（Ａ）は、従来の洋式の水洗便器の便器本体の一例を示す側面断面図、同図（Ｂ）は、その平面図である。
この便器本体１は、ボウル部１０の後部に給・排水部１６が配置された構成となっている。ボウル部１０の内部には、溜水部Ｗの水面下に位置する溜水面１１ａと、この溜水面１１ａと連続して形成され、水面上に位置する乾燥面１１ｂとで構成される汚物受け面１１が形成されている。また、ボウル部１０の上部開口の周縁にはリム部１２が形成されている。リム部１２は、内側周壁１２ａと、この内側周壁１２ａの内側に設けられたリム通水路１２ｂと、このリム通水路１２ｂの下部に汚物受け面１１に向けて多数穿設された吐水孔１３とで構成され、ほぼ一定の幅を有する。給・排水部１６は、図示しない給水源に連通する給水孔１６ａと、この給水孔１６ａとリム通水路１２ｂとを連通する導水路１６ｂと、排水口１６ｃに連通する排水路１６ｄとが形成されている。
【０００３】
このような構成の便器本体１のボウル部１０の洗浄流路を説明すると、給水源から供給された洗浄水は、給水孔１６ａから導水路１６ｂを通ってリム通水路１２ｂへと流れた後、同図（Ｂ）の矢印で示すように、リム部１２下面の吐水孔１３から汚物受け面１１に吐出されて汚物受け面１１を洗浄する。そして、汚物受け面１１を洗浄した洗浄水は、排水路１６ｄを通って排水口１６ｃから排出される。
以上のように、吐水孔１３から吐出される洗浄水は、ボウル部１０の外周部から内周部に向けて放射状に勢い良く流れるので、特に汚物受け面１１の汚物を確実に洗い流すことができる。
【０００４】
図１０（Ａ）は、従来の洋式の水洗便器の便器本体の別の一例を示す側面断面図、同図（Ｂ）は、その平面図である。
この便器本体２は、基本的には図９に示す便器本体１と同一構成であり、同一構成箇所は同一番号を付して説明を省略する。
この便器本体２は、汚物受け面１１の内側から下部へ通じるゼット導水路１４及びゼット吐水孔１５が設けられている点で図９に示す便器本体１と異なる構成となっている。ゼット導水路１４はリム通水路１２ｂの一部から分岐されている。
【０００５】
このような構成の便器本体２のボウル部１０の洗浄流路を説明すると、給水源から供給された洗浄水は、給水孔１６ａから導水路１６ｂを通ってリム通水路１２ｂ及びゼット導水路１４へと流れた後、同図（Ｂ）の矢印で示すように、吐水孔１３から汚物受け面１１に吐出されて汚物受け面１１を洗浄する。また洗浄水の一部は、ゼット吐水孔１５から排水路１６ｄに吐出される。そして、汚物受け面１１を洗浄した洗浄水と排水路１６ｄに吐出された洗浄水は、排水路１６ｄを通って排水口１６ｃから排出される。
【０００６】
以上のように、吐水孔１３から吐出される洗浄水は、ボウル部１０の外周部から内周部に向けて放射状に勢い良く流れるので、特に汚物受け面１１の汚物を確実に洗い流すことができるとともに、ゼット吐水孔１５から吐出される洗浄水は、ボウル部１０の底部から排水路１６ｄに向けて直線状に勢い良く流れるので、溜水部Ｗに溜まっている汚物を確実に流すことができる。
上述した各便器本体１、２は、陶器で作成されており、その表面は粗面となっているので微量とはいえ吸水して不衛生となるため、陶器表面にガラス質の釉薬を塗布して表面仕上げを行い、吸水性を失わせて衛生性を確保している。
【０００７】
ところが、上述した便器本体１、２の洗浄流路構造では、リム通水路１２ｂと吐水孔１３を設けた複雑な形状をしたリム部１２を形成する必要がある。特にリム通水路１２ｂは、下側面をボウル部１０の内側に張り出させた複雑な形状をしている。したがって、リム部１２の下側面には上記釉薬を塗布しにくいので、雑菌や汚れが付着し易く、臭気発生源となっており、さらに、リム部１２の下側面は、使用者からは死角となる窪みとなるため、清掃が困難で衛生性を損なっている。
また、リム部１２の下側面には、上述したように多数の吐水孔１３等を形成しなければならないので、製造工程が煩雑となり、製造コスト高の要因となっている。
【０００８】
そこで、例えば特開平８−１４０８９６号公報に記載の図１１に示すような洋式の水洗便器が提案されている。
この水洗便器３は、便器本体２０のボウル部２１を洗浄する機能を有する便座３０が、便器本体２０の上部に配置された構成となっている。便器本体２０のボウル部２１の上部開口の周縁には、図９や図１０の便器本体１、２に設けられていたようなリム部１２が設けられておらず、ボウル部２１の上部開口縁部は、内壁２２と外壁２３の間の比較的薄い板状の構造物にすぎない。
【０００９】
便座３０は、便座本体３１、便座基部３３、局部洗浄ノズル３４から大略構成されている。便座本体３１は、ボウル部２１の上部開口縁部と略同形の環状に形成されており、便座本体３１の下面部がボウル部２１の上部開口縁部に載置される。便座本体３１の上縁部は使用者の着座する着座部となっている。そして、便座本体３１の背部が便座基部３３に設けられている軸着部に回動自在に軸着されており、便座本体３１は、この軸着部分で回動することにより起倒自在となっている。さらに、便座本体３１の内部には便座基部３３内の給水路に連通する中空部（図示されず）が形成されており、便座本体３１の下部には中空部に連通する多数の吐水孔３２が穿設されている。局部洗浄ノズル３４は、人体の局部を洗浄水により洗浄する機能を有し、便座基部３３内の給水路に連通され、ボウル部２１内に出入可能に配設されている。
【００１０】
このような構成の便器本体２０の洗浄流路を説明すると、給水源から供給された洗浄水は、便座基部３３内の給水路を通って便座本体３１の中空部へと流れた後、吐水孔３２からボウル部２１の汚物受け面に吐出されて汚物受け面を洗浄する。そして、汚物受け面を洗浄した洗浄水は、排水路を通って排水口から排出される。
以上のように、洗浄水は、便座本体３１に設けられている吐水孔３２から吐出されるので、図９や図１０の便器本体１、２に設けられていたリム部１２を設ける必要がなくなる。従って、ボウル部２１の上部開口縁部は単純な形状となるので上記釉薬を塗布し易くなり、雑菌や汚れの付着を防止することができると共に、清掃が容易となり、衛生性を確保することができる。さらに、製造工程が簡易となり、製造コストを低減させることができる。
【００１１】
【発明が解決しようとする課題】
しかしながら、図１１に示す従来の水洗便器３の構造では、洗浄水を便座本体３１の吐水孔３２からボウル部２１内へ吐出した後に、その洗浄水の一部が吐水孔３２の近傍に残留している場合がある。そのような状態で便座本体３１を回動させて起こすと、残留していた洗浄水が吐水孔３２から便座本体３１の下面や便器本体２０の外壁２３に垂れて付着するので、衛生面で好ましくなく、また余計な清掃の手間が増えるという欠点がある。
【００１２】
本発明は、洋式水洗便器のボウル部を洗浄する機能を備えた便座を有する便器であって、洗浄水の液垂れによる汚染を防止することができるボウル洗浄機能付便座を有する便器を提供することを目的とする。
【００１３】
【課題を解決するための手段】
上記課題を解決するため、本発明に関連するボウル洗浄機能付便座は、  洋式便器における回動起倒式の便座であって、  回動中心の近辺に、便器本体のボウル部を洗浄するスプレッダーを設けたことを特徴とする。
また、上記課題を解決するため、本発明に関連するボウル洗浄機能付便座を有する便器は、  回動起倒式の便座を有する洋式便器であって、  回動中心の近辺に便器本体のボウル部を洗浄するスプレッダーを設けたことを特徴とする。
本発明のボウル洗浄機能付便座を有する便器は、便器本体、及び、該本体の上部に載置される回動起倒式の便座を有する洋式便器であって、前記便器本体のボウル部の上部開口縁部には、ボウル部を洗浄するための通水路及び吐水孔が設けられておらず、前記便器本体のボウル部の底部には、ゼット吐水孔、並びに、排水口及びそれに連通する排水路が形成されており、前記便座の回動中心の近辺に前記便器本体のボウル部を洗浄するスプレッダーが設けられており、該スプレッダーには、給水源からの洗浄水を前記ボウル部の上部開口の内周曲面に沿うように水平に吐出するための水平吐出孔、及び、洗浄水を前記ボウル部の下部の内周曲面に沿うように下方に吐出するための下方吐出孔が設けられており、さらに、前記給水源と前記ゼット吐水孔とを連通する給水管が設けられており、ボウル洗浄レバーあるいはボタンを操作すると、前記スプレッダーの水平吐出孔から吐出される洗浄水は、前記ボウル部の上部開口の内周両側から旋回して流れ、前記下方吐出孔から吐出される洗浄水は、前記ボウル部の下部の内周曲面に沿って落下しながら流れ、前記ゼット吐水孔に供給された洗浄水は、前記ボウル部の底部から排水路に向けて直線状に流れ、前記水平吐出孔及び前記下方吐出孔から吐出された洗浄水は、汚物等と一緒にゼット吐水孔から吐出された洗浄水により排水路を通って排水口から排出されることを特徴とする。
【００１４】
ボウル部を洗浄するスプレッダーを便座の回動中心の近辺に配置しているので、スプレッダーの使用後に便座本体を起立させたとき、スプレッダーから洗浄水がたとえ垂れてもボウル部内に確実に収容され、ボウル部外への洗浄水の液垂れによる汚染を防止することができる。
【００１５】
【発明の実施の形態】

本発明の実施形態のボウル洗浄機能付便座を有する便器は、  便器本体のボウル部の上部に載置される便座本体と、  便器本体の奥部に載置され、便座本体を回動可能に保持する保持部を有する便座基部と、  を備える便座を有する洋式便器であって、  便座基部にボウル洗浄スプレッダーが設けられていることを特徴とする。
【００１６】
以下、本発明の実施の形態を図面を参照しつつ説明する。
図１は、本発明の１実施例に係る洋式のボウル洗浄機能付便座を有する便器を示す斜視図、図２（Ａ）及び（Ｂ）は、その構造を示す側面断面図及び平面図である。
この実施例の水洗便器１００は、ボウル部１１１及び給・排水部１１６を備えた便器本体１１０の上部に、便座本体１２１、便座基部１２２、ボウル洗浄スプレッダー１２３及び局部洗浄ノズル１２４等を備えた着脱可能な便座１２０が配置された構成となっている。
【００１７】
ボウル部１１１の上部開口の周縁には、図９や図１０の便器本体１、２に設けられていたリム部１２が設けられておらず、ボウル部１１１の上部開口縁部は、内壁１１２と外壁１１３との間に比較的薄い板状の構造物にすぎない。ボウル部１１１の内部には、溜水部Ｗの水面下に位置する溜水面１１４ａと、この溜水面１１４ａと連続して形成され、水面上に位置する乾燥面１１４ｂとで構成される汚物受け面１１４が形成されている。そして、ボウル部１１１の底部には、ゼット吐水孔１１５が形成されている。給・排水部１１６には、図示しない給水源とゼット吐水孔１１５を連通する給水管１１７が配管され、また排水口１１８に連通する排水路１１９が形成されている。
【００１８】
便座本体１２１は、ボウル部１１１の上部開口縁部と略同形の環状に形成されており、便座本体１２１の下面がボウル部１１１の上部開口縁部に載置される。便座本体１２１の上縁部は、使用者の着座する着座部である。そして、便座本体１２１の背部が便座基部１２２に設けられている保持部に回動自在に保持されており、便座本体１２１は、この保持部で回動することにより起倒自在となっている。便座基部１２２には、人体の局部を洗浄する局部洗浄装置や、給水源とボウル洗浄スプレッダー１２３及び局部洗浄装置の局部洗浄ノズル１２４と連通する給水路等が内蔵されている。ボウル洗浄スプレッダー１２３は、ボウル部１１１を洗浄水により洗浄する機能を有し、便座基部１２２内の給水路に連通している。スプレッダー１２３は、便座本体１２１の回動中心の下方の便座基部１２２の両側２か所に、ボウル部１１１内に突き出るように配設されている。局部洗浄ノズル１２４は、人体の局部を洗浄水により洗浄する機能を有し、便座基部１２２内の給水路に連通されている。ノズル１２４は、２か所のボウル洗浄スプレッダー１２３の間において、ボウル部１１１内に出入可能に配設されている。
【００１９】
このような構成により、ボウル部１１１の上部開口縁部は、従来のような死角となるような窪みにはならず、単純な形状となる。したがって、ボウル部１１１の各部に、釉薬を塗布し易く、雑菌や汚れの付着を防止することができ、さらに、清掃が容易で衛生性を確保することができる。また、ボウル洗浄スプレッダー１２３を設けているので、従来のような多数の吐水孔１３等を形成する必要がなく、製造工程が簡易となり、製造コストを低減させることができる。
【００２０】
ここで、ボウル洗浄スプレッダー１２３の詳細構造を図３を参照して説明する。このボウル洗浄スプレッダー１２３は、一端部が略９０度に折れ曲がった略直方体に形成されている。スプレッダー１２３のボウル開口に向いた面には、洗浄水をボウル部１１１の上部開口の内周曲面に沿うように水平に吐出するための水平吐出孔１２３ａが設けられている。また、ボウルの底部に向いた面には、洗浄水をボウル部１１１の下部の内周曲面に沿うように下方に吐出するための下方吐出孔１２３ｂが設けられている。下方吐出孔１２３ｂは下端面に横長に延びるように設けられている。さらにスプレッダー１２３の便座基部１２２に接合される面の略中央には、便座基部１２２内の給水路に連通する給水孔１２３ｃが設けられている。
【００２１】
そして、ボウル洗浄スプレッダー１２３の内部には、水平吐出孔１２３ａ及び下方吐出孔１２３ｂと給水孔１２３ｃとを連通する給水路１２３ｄ、１２３ｅが設けられている。この図に示すボウル洗浄スプレッダー１２３はボウル部１１１の前面から見て左側に配置されるものであり、右側に配置されるボウル洗浄スプレッダー１２３は水平吐出孔１２３ａが図３とは反対側の一端側に設けられる。このように、水平吐出孔１２３ａが上記側面の一端側に設けられる。給水孔１２３ｃは上記端面の略中央に設けられているので、洗浄水は給水孔１２３ｃから給水路１２３ｄを通る際に水平方向に所定の角度が付けられて、水平吐出孔１２３ａからボウル部１１１の上部開口の内周面に吐出される。従って、洗浄水は、図２の矢印ｂに示すように、ボウル部１１１の上部開口の内周曲面に沿って流れることになる。
【００２２】
図４は、本実施例の水洗便器１００の水路の系統例を示す図である。同図（Ａ）に示す例では、給水源１３０から供給される洗浄水を分岐栓１４０を介して、水洗便器１００の近傍、例えば便座基部１２２の上部後方に配置されているロータンク１５０に一旦貯水する。このロータンク１５０に貯留されている洗浄水を、ゼット吐水孔１１５、ボウル洗浄スプレッダー１２３及び局部洗浄ノズル１２４へそれぞれ振り分けて供給する。
このような構成によれば、例えばロータンク１５０に洗浄水を加熱する手段を設けておけば、ロータンク１５０に一旦貯水した洗浄水を温めて温水として供給することができる。そのため、ボウル１１１の洗浄作用をさらに高めることができると共に、人体の局部を洗浄する際の快適性を高めることができる。
【００２３】
また、同図（Ｂ）に示す例では、給水源１３０から供給される洗浄水を分岐栓１４０を介して、ロータンク１５０、ボウル洗浄スプレッダー１２３及び局部洗浄ノズル１２４へそれぞれ振り分けて供給する。そして、ロータンク１５０に貯留されている洗浄水をゼット吐水孔１１５へ供給する。
このような構成によれば、例えば分岐栓１４０の切り替えを使用者が操作可能に構成することができるので、ゼット吐水孔１１５、ボウル洗浄スプレッダー１２３及び局部洗浄ノズル１２４への洗浄水の供給をそれぞれ単独で行うことができ、節水効果を高めることができる。
【００２４】
以上のような構成の水洗便器１００の洗浄作用について以下に説明する。
給水源１３０から供給される洗浄水は、分岐栓１４０を介してロータンク１５０に一旦貯水されている。使用者が使用後に例えば便座基部１２２に備えられているボウル洗浄レバーあるいはボウル洗浄押しボタン等を操作すると、ロータンク１５０に貯留されている洗浄水は、便座基部１２２内の給水路を通ってボウル洗浄スプレッダー１２３へ流れる。それとともに、ロータンク１５０内の水は、便座基部１２２内の給水路から給水管１１７を通ってゼット吐水孔１１５へ流れる。ボウル洗浄スプレッダー１２３に供給された洗浄水は、給水孔１２３ｃから各給水路１２３ｄ、１２３ｅに振り分けられた後、水平吐出孔１２３ａからほぼ水平に吐出される。水平に吐出された水は、図２の矢印ｂに示すように、ボウル部１１１の上部開口の内周曲面に沿って両側から旋回しながら流れて汚物受け面１１４を洗浄する。その後、溜水部Ｗに水平方向の旋回流を発生させて浮遊する汚物等を溜水部Ｗの略中心部へ押し込む。
【００２５】
ほぼ同時に、洗浄水は、下方吐出孔１２３ｂから垂直に吐出され、図２の矢印ｃに示すように、ボウル部１１１の下部の内周曲面に沿って落下しながら流れてボウル洗浄スプレッダー１２３の陰となる下面を洗浄すると共に、溜水部Ｗに垂直方向の対流を発生させて浮遊する汚物等を溜水部Ｗの底部へ押し込む。一方、ゼット吐水孔１１５に供給された洗浄水は、ボウル部１１１の底部から排水路１１９に向けて直線状に流れる。従って、水平吐出孔１２３ａから吐出された汚物受け面１１４等を洗浄した洗浄水と、下方吐出孔１２３ｂから吐出されたボウル洗浄スプレッダー１２３の陰となる下面を洗浄した洗浄水は、汚物等と一緒にゼット吐水孔１１５から吐出された洗浄水により排水路１１９を通って排水口１１８から排出される。
【００２６】
以上のように、水平吐出孔１２３ａから吐出される洗浄水は、ボウル部１１１の上部開口の内周両側から旋回して勢い良く流れるので、特に汚物受け面１１４に付着した汚物を確実に洗い流すことができる。一方、下方吐出孔１２３ｂから吐出される洗浄水は、水平吐出孔１２３ａから吐出される洗浄水では洗浄しづらい面に付着した汚物を確実に洗い流すことができる。さらに、ゼット吐水孔１１５から吐出される洗浄水は、ボウル部１１１の底部で直線状に勢い良く流れるので、溜水部Ｗに溜まっている汚物を確実に流すことができる。
【００２７】
図５は、本実施例の水洗便器１００に使用可能な別のボウル洗浄スプレッダーの詳細構造を示す斜視図である。このボウル洗浄スプレッダー１２５は、一端部が略９０度に折れ曲がった略直方体に形成されており、折れ曲がり部を形成する一側面１２５ｃには、洗浄水をボウル部１１１の上部開口の内周面に対して水平やや下側に吐出するための第１水平吐出孔１２５ａが設けられている。一方、折れ曲がり部正面１２５ｄの下端には、水平方向に複数の第２水平吐出孔１２５ｂが設けられている。これらの第２水平吐出孔１２５ｂは、第１水平吐出孔１２５ａに近い側から順に、洗浄水をボウル部１１１の上部開口の内周曲面に沿うように水平に吐出する孔、洗浄水をボウル部１１１の上部開口の内周曲面に沿うように水平やや下側に吐出する孔、洗浄水をボウル部１１１の汚物受け面１１４に吐出する孔、洗浄水をボウル部１１１の汚物受け面１１４よりやや下側に吐出する孔というように、吐出角度や方向を変えて形成されている。
【００２８】
そして、図示していないが、図３のボウル洗浄スプレッダー１２３と同様に、折れ曲がり部の端面、即ち便座基部１２２に接合される面の略中央には便座基部１２２内の給水路に連通する給水孔が設けられている。また、ボウル洗浄スプレッダー１２５の内部には、第１水平吐出孔１２５ａ及び第２水平吐出孔１２５ｂと給水孔とを連通する給水路が設けられている。この図に示すボウル洗浄スプレッダー１２５はボウル部１１１の前面から見て左側に配置されるものであり、右側に配置されるボウル洗浄スプレッダー１２５は第１水平吐出孔１２５ａが図５とは反対側の側面に設けられる。このような構成によれば、第２水平吐出孔１２５ｂにより図３のボウル洗浄スプレッダー１２３と同様の作用効果が得られると共に、第１水平吐出孔１２５ａによりボウル洗浄スプレッダー１２５の陰となるボウル洗浄スプレッダー１２５横のボウル部１１１の上部開口の内周面も確実に洗浄することができる。
【００２９】
図６は、本実施例の水洗便器１００に使用可能なさらに別のボウル洗浄スプレッダーの詳細構造を示す斜視図である。このボウル洗浄スプレッダー１２６は、両端部が略９０度に逆方向に折れ曲がった略直方体に形成されている。折れ曲がり部の下端面には、３つの水平吐出孔１２６ａ、１２６ｂ及び１２６ｃが設けられている。水平吐出孔１２６ａは、洗浄水をボウル部１１１の上部開口の内周曲面に沿うように水平に吐出する。水平吐出１２６ｂは、洗浄水をボウル部１１１の汚物受け面１１４に吐出する。水平吐出孔１２６ｃ、洗浄水をボウル部１１１の汚物受け面１１４よりやや下側に吐出する。すなわち、各吐出孔は、吐出角度や方向を変えて水平方向に複数形成されている。
【００３０】
そして、図示していないが、図３のボウル洗浄スプレッダー１２３と同様に、他方の折れ曲がり部の端面、即ち便座基部１２２に接合される面の略中央には便座基部１２２内の給水路に連通する給水孔が設けられている。また、ボウル洗浄スプレッダー１２６の内部には、各水平吐出孔１２６ａ〜１２６ｃと給水孔とを連通する給水路が設けられている。この図に示すボウル洗浄スプレッダー１２６はボウル部１１１の前面から見て左側に配置されるものであり、右側に配置されるボウル洗浄スプレッダー１２６は水平吐出孔１２６ａが図５の水平吐出孔１２６ｃ側の位置に設けられる。このような構成によれば、水平吐出孔１２６ａにより図３のボウル洗浄スプレッダー１２３と同様の作用効果が得られると共に、各水平吐出孔１２６ａ〜１２６ｃが一端面に集中形成されているので、コンパクトにすることができ、特に小型の水洗便器に有効である。
【００３１】
図７は、本実施例の水洗便器１００の便座基部１２２と別体に構成されるボウル洗浄スプレッダーの詳細構造を示す斜視図である。このボウル洗浄スプレッダー１２７は、便器本体１１０と便座基部１２２との間に配置されて取り付けられる取付け板１２７ａに、図３に示す構成のボウル洗浄スプレッダー１２３と同様のスプレッダー１２７ｂが一体形成された構成となっている。即ち、スプレッダー１２７は、一端部が略９０度に折れ曲がった略直方体に形成されている。取付け板１２７ａの上面には便座基部１２２内の給水路あるいは局部洗浄装置に連通する給水孔１２７ｃが設けられている。ボウル部１１１の内周面に向いた面には、洗浄水をボウル部１１１の上部開口の内周曲面に沿うように水平に吐出するための水平吐出孔１２７ｄが設けられている。また、ボウル部１１１の底部に向いた下端面の略全面には、洗浄水をボウル部１１１の下部の内周曲面に沿うように下方に吐出するための下方吐出孔１２７ｅが設けられている。そして、取付け板１２７ａからスプレッダー１２７ｂにかけての内部には、給水孔１２７ｃと水平吐出孔１２７ｄ及び垂直吐出孔１２７ｅとを連通する給水路１２７ｆ、１２７ｇが設けられている。また、取付け板１２７ａには、便器本体１１０と便座基部１２２とを固定するためのボルトを通す取付け孔１２７ｈが設けられている。このような構成によれば、既設の局部洗浄装置付水洗便器に対しても対応可能となり、使用者の無駄な出費を抑えることができる。
【００３２】
上述した各実施例で説明したボウル洗浄スプレッダー１２３、１２５、１２６、１２７から吐出される洗浄水は、ボウル部１１１を洗浄することに使用されるが、その洗浄水を温水として吐出することにより、便座本体１２１を温めることにも使用することができる。即ち、ボウル洗浄スプレッダー１２３、１２５、１２６、１２７から吐出される洗浄水は、便座本体１２１近傍のボウル部１１１の上部開口の内周に沿って流れるので、そのときの輻射熱等を利用して便座本体１２１を温めるようにする。但し、通常は使用者が使用後にボウル洗浄スプレッダー１２３、１２５、１２６、１２７から洗浄水を吐出させるため、そのときに便座本体１２１を温めてもその使用者には恩恵が無く、また使用中に使用者がボウル洗浄スプレッダー１２３、１２５、１２６、１２７から洗浄水を吐出させるのも煩わしい。
【００３３】
そこで、便座本体１２１に使用者の着座状態を検知する静電容量式や赤外線式等で構成される着座検出センサを設けると共に、ボウル洗浄スプレッダー１２３、１２５、１２６、１２７に着座検出センサからの検知信号が入力されたときに給水を一定時間オンする電磁バルブ等のスプレッダースイッチを設けておく。これにより、使用者は特に意識することなく、使用直前に自動的にボウル洗浄スプレッダー１２３、１２５、１２６、１２７から洗浄水が吐出されて便座本体１２１を温めることができると共に、この使用直前の吐出によりボウル部１１１の内壁に水の膜ができるので、汚物等の付着を防止する効果も生じる。さらに、上記センサ等を設けたことにより、使用後にも自動的にボウル洗浄スプレッダー１２３、１２５、１２６、１２７から洗浄水を吐出させるようにして、使用者の手間をさらに軽減させることもできる。
【００３４】
図８は着座検出センサとスプレッダースイッチの動作例を示すタイムチャートであり、時点ｔ１で使用者が便座本体１２１に着座したと同時に、着座検出センサがオンになると共にスプレッダースイッチもオンとなる。そして、時点ｔ２までボウル洗浄スプレッダー１２３、１２５、１２６、１２７から洗浄水が吐出され、便座本体１２１が温められる。次に、時点ｔ３で使用者が便座本体１２１から離れると同時に、着座検出センサがオフになると共にスプレッダースイッチがオンとなり、時点ｔ４までボウル洗浄スプレッダー１２３、１２５、１２６、１２７から洗浄水が吐出され、ボウル部１１１が洗浄される。このとき、ゼット吐水孔１１５からも自動的に洗浄水が吐出されるように構成しても良い。尚、使用者の着座状態を検知する着座検出センサの代わりに、使用者がトイレ内に入ったことを検知するセンサを設けても良い。また、便座本体１２１内に循環水路を設けておき、洗浄水をボウル洗浄スプレッダー１２３、１２５、１２６、１２７から吐出させる前に上記循環水路内に一旦通すように構成することにより、便座本体１２１をさらに効率良く温めることができる。

【００３５】
【発明の効果】
以上の説明から明らかなように、本発明によれば、ボウル部の上部開口縁部は、従来のような死角となるような窪みにはならず、単純な形状となるので、釉薬を塗布し易く、雑菌や汚れの付着を防止することができ、さらに、清掃が容易で衛生性を確保することができる。また、従来のような多数の吐水孔等を形成する必要がないので、製造工程が簡易となり、製造コストを低減させることができる。
【図面の簡単な説明】
【図１】本発明の１実施例に係る洋式のボウル洗浄機能付便座を有する便器を示す斜視図である。
【図２】図１のボウル洗浄機能付便座を有する便器の構造を示す側面断面図及び平面図である。
【図３】図１のボウル洗浄機能付便座を有する便器のボウル洗浄スプレッダーの詳細構造を示す３面図である。
【図４】本実施例の水洗便器の水路例を示す図である。
【図５】本実施例の水洗便器に使用可能な別のボウル洗浄スプレッダーの詳細構造を示す斜視図である。
【図６】本実施例の水洗便器に使用可能なさらに別のボウル洗浄スプレッダーの詳細構造を示す斜視図である。
【図７】本実施例の水洗便器の便座基部と別体に構成されるボウル洗浄スプレッダーの詳細構造を示す斜視図である。
【図８】本実施例の水洗便器の着座検出センサとスプレッダースイッチの動作例を示すタイムチャートである。
【図９】従来の洋式の水洗便器の便器本体の一例を示す側面断面図及びその平面図である。
【図１０】従来の洋式の水洗便器の便器本体の別の一例を示す側面断面図及びその平面図である。
【図１１】従来の洋式の水洗便器の一例を示す斜視図である。
【符号の説明】
１００  水洗便器              １１０  便器本体
１１１  ボウル部              １１２  内壁
１１３  外壁                  １１４ａ  溜水面
１１４ｂ  乾燥面              １１４  汚物受け面
１１５  ゼット吐水孔          １１６  給・排水部
１１７  給水管                １１８  排水口
１１９  排水路                １２０  便座
１２１  便座本体              １２２  便座基部
１２３、１２５、１２６、１２７  ボウル洗浄スプレッダー
１２４  局部洗浄ノズル        １２３ａ  水平吐出孔
１２３ｂ  垂直吐出孔          １２３ｃ  給水孔
１２３ｄ，１２３ｅ  給水路    １３０  給水源
１４０  分岐栓                １５０  ロータンク
【図１】
0003649001.tif 000002
【図２】
0003649001.tif 000003
【図３】
0003649001.tif 000004
【図４】
0003649001.tif 000005
【図５】
0003649001.tif 000006
【図６】
0003649001.tif 000007
【図７】
0003649001.tif 000008
【図８】
0003649001.tif 000009
【図９】
0003649001.tif 000010
【図１０】
0003649001.tif 000011
【図１１】
0003649001.tif 000012